(57)【要約】【課題】  配線方向を変更するために同一平面内でフラットケーブルを屈曲する場合に、屈曲部の前後において回路が反転せず、なおかつ簡単に屈曲させることができるフラットケーブルの屈曲構造を提供する。【解決手段】  複数本の導体を同一平面上に並行に配置した上に絶縁体を被覆してなるフラットケーブル１を前記同一平面内で屈曲させたフラットケーブルの屈曲構造であって、フラットケーブル１の所望の部分をケーブル長手方向を軸として折り曲げて折り曲げ部６を形成し、折り曲げ部６を、該折り曲げ部６における芯線部４の配置方向を軸として屈曲させて屈曲部７を形成した。【選択図】  図４
2005302439.tif 000002
【特許請求の範囲】
【請求項１】
複数本の導体を同一平面上に並行に配置した上に絶縁体を被覆してなるフラットケーブルを前記同一平面内で屈曲させたフラットケーブルの屈曲構造であって、
前記フラットケーブルの所望の部分をケーブル長手方向を軸として折り曲げて折り曲げ部を形成し、該折り曲げ部を、該折り曲げ部における前記導体の配置方向を軸として屈曲させた
ことを特徴とするフラットケーブルの屈曲構造。
【請求項２】
複数本の導体を同一平面上に並行に配置した上に絶縁体を被覆してなるフラットケーブルを前記同一平面内で屈曲させるためのフラットケーブルの屈曲方法であって、
前記フラットケーブルの所望の部分をケーブル長手方向を軸として折り曲げて折り曲げ部を形成する第１工程と、該折り曲げ部を、該折り曲げ部における前記導体の配置方向を軸として屈曲させる第２工程と、を含んでなる
ことを特徴とするフラットケーブルの屈曲方法。
【請求項３】
複数本の導体を同一平面上に並行に配置した上に絶縁体を被覆してなるフラットケーブルであって、
ケーブル長手方向を軸として折り曲げて形成され、導体の配置方向を軸として前記同一平面内で屈曲させるための折り曲げ部を有する
ことを特徴とするフラットケーブル。
【発明の詳細な説明】
【技術分野】
【０００１】
本発明は、フラットケーブルを同一平面内で屈曲させて配線方向を変更させるためのフラットケーブルの屈曲構造、及びそのような屈曲構造を形成するためのフラットケーブルの屈曲方法、フラットケーブルに関する。
【背景技術】
【０００２】
従来より、複数本の導体を同一平面上に並行に配置した上に絶縁体を被覆してなるフラットケーブルが知られている。
【０００３】
このようなフラットケーブルを、例えばワイヤーハーネスとして車両のボディ内壁面等に沿って配線するような場合などにあっては、配線方向を変更するため、複数本の導体が並ぶ平面と同一平面内でフラットケーブルを屈曲させて配線を行う場合がある。
【０００４】
このように複数本の導体が並ぶ平面と同一平面内でフラットケーブルを屈曲させる屈曲構造としては、フラットケーブルを表裏が反転するように折り返して屈曲させるフラットケーブルの屈曲構造が知られている（例えば、特許文献１参照。）。
【特許文献１】特開平８−４５３５６号公報
【発明の開示】
【発明が解決しようとする課題】
【０００５】
しかしながら、このようにフラットケーブルを表裏が反転するように折り返して屈曲させると、屈曲部の前後で導体の配列が逆になり、回路が反転してしまう。また、上記特許文献１に示すように、屈曲部における折り重ね状態を保持させるために、屈曲部に保持部材としてテープを巻く等の加工が必要となり、保持部材及び加工工程が別途必要になり、さらに、フラットケーブルに特別な成形加工を施す必要もある。
【０００６】
本発明の目的は、配線方向を変更するために同一平面内でフラットケーブルを屈曲する場合に、屈曲部の前後において回路が反転せず、なおかつ簡単に屈曲させることができるフラットケーブルの屈曲構造、及びそのような屈曲構造を形成するためのフラットケーブルの屈曲方法、フラットケーブルを提供することにある。
【課題を解決するための手段】
【０００７】
上記課題を解決するために、請求項１に記載の発明は、複数本の導体を同一平面上に並行に配置した上に絶縁体を被覆してなるフラットケーブルを前記同一平面内で屈曲させたフラットケーブルの屈曲構造であって、前記フラットケーブルの所望の部分をケーブル長手方向を軸として折り曲げて折り曲げ部を形成し、該折り曲げ部を、該折り曲げ部における前記導体の配置方向を軸として屈曲させたことを特徴とする。
【０００８】
このような請求項１に記載の発明では、フラットケーブルを屈曲させようとする所望の部分をケーブル長手方向を軸として折り曲げて形成された前記折り曲げ部は、折り曲げ部以外の部分に対して立ち上がった状態となる。そして、かかる折り曲げ部を該折り曲げ部における導体の配置方向を軸として屈曲させて屈曲部を形成することにより、フラットケーブルを、同一平面内で屈曲部の前後において導体の配列が逆にならずに屈曲させることができるものとなる。
【０００９】
請求項２に記載の発明は、複数本の導体を同一平面上に並行に配置した上に絶縁体を被覆してなるフラットケーブルを前記同一平面内で屈曲させるためのフラットケーブルの屈曲方法であって、前記フラットケーブルの所望の部分をケーブル長手方向を軸として折り曲げて折り曲げ部を形成する第１工程と、該折り曲げ部を、該折り曲げ部における前記導体の配置方向を軸として屈曲させる第２工程と、を含んでなることを特徴とする。
【００１０】
このような請求項２に記載の発明では、前記第１工程において形成された折り曲げ部は、折り曲げ部以外の部分に対して立ち上がった状態となる。そして、前記第２工程において、前記折り曲げ部を、該折り曲げ部における導体の配置方向を軸として屈曲させて屈曲部を形成することにより、フラットケーブルを、同一平面内で屈曲部の前後において導体の配列が逆にならずに屈曲させることができるものとなる。
【００１１】
請求項３に記載の発明は、複数本の導体を同一平面上に並行に配置した上に絶縁体を被覆してなるフラットケーブルであって、ケーブル長手方向を軸として折り曲げて形成され、導体の配置方向を軸として前記同一平面内で屈曲させるための折り曲げ部を有することを特徴とする。
【００１２】
このような請求項３に記載の発明では、前記ケーブル長手方向を軸として折り曲げてなる前記折り曲げ部は、折り曲げ部以外の部分に対して立ち上がった状態となる。そして、このような折り曲げ部を有するフラットケーブルは、折り曲げ部を該折り曲げ部における導体の配置方向を軸として屈曲させることにより、同一平面内で屈曲部の前後において導体の配列が逆にならずに屈曲させることができるものとなる。
【発明の効果】
【００１３】
請求項１，２に記載の発明によれば、折り曲げ部以外の部分に対して立ち上がった状態の前記折り曲げ部は、簡単に屈曲させることが可能であり、これにより、回路が反転することなく、同一平面内でフラットケーブルを簡単に屈曲させることができる。また、前記折り曲げ部は、該折り曲げ部における導体の配置方向を軸として屈曲させると、その曲げ応力によって折り曲げ形状が保持され、形状を保持するためのテープなどの保持部材が不要であり、屈曲時にテープ巻きなどの加工工程が不要である。これにより、部品点数の削減や組み付け性の向上を図ることができる。また、フラットケーブルに特別な成形加工を必要としない。
【００１４】
請求項３に記載の発明によれば、折り曲げ部以外の部分に対して立ち上がった状態の前記折り曲げ部が形成されているので、該折り曲げ部を、該折り曲げ部における導体の配置方向を軸として屈曲することが簡単となる。これにより、屈曲部の前後で回路が反転せず同一平面内でフラットケーブルを簡単に屈曲させることが可能となる。
【発明を実施するための最良の形態】
【００１５】
以下、図面を参照して本発明を実施するための最良の形態の一例について説明する。
【００１６】
図１は折り曲げ部及び屈曲部を形成する前のフラットケーブルを示す斜視図、図２は図１に示すフラットケーブルに折り曲げ部を形成した状態を示す斜視図、図３は図２のＡ−Ａ線断面図、図４は図２に示す状態から屈曲させた状態を示す斜視図である。
【００１７】
図において、符号１で示すフラットケーブルは、複数本（本例では６本）の導体２を同一平面上に並行に配置した上に絶縁体３を被覆して一体に連結して構成され、断面円形状の複数の各芯線部４が、隣り合う芯線部４とブリッジ部５を介して一体に連結されている。
【００１８】
このような構成のフラットケーブル１を屈曲させて本発明の屈曲構造を形成するには、先ず、図１に示す状態から図２に示すように、屈曲させようとする部分のフラットケーブル１をケーブル長手方向を軸として折り曲げて折り曲げ部６を形成する。この折り曲げ部６についてもう少し説明すると、折り曲げ部６は、ケーブル幅方向の真ん中の位置のブリッジ部５ａで、ケーブル長手方向を軸としてフラットケーブル１を折り重ねて形成される（図３参照）。これにより、左右に３本ずつの芯線部４が配置された断面略Ｕ字形状に形成され、折り曲げ部６以外の部分に対して立ち上がった状態の折り曲げ部６が形成されたフラットケーブル１が構成される。
【００１９】
次に、図４に示すように、前記折り曲げ部６を、該折り曲げ部６における芯線部４の配置方向（導体２の配置方向）を軸として屈曲させ、屈曲部７が形成される。このとき、折り曲げ部６以外の部分に対して立ち上がった状態の前記折り曲げ部６は、容易に屈曲させることが可能である。これにより、フラットケーブル１は、同一平面内で屈曲部７の前後で表裏が反転せず導体２の配置順が変わらない状態で屈曲される。
【００２０】
以上により、本発明の屈曲構造を得ることができる。そして、このような屈曲構造を得るためのフラットケーブルの屈曲方法は、前記折り曲げ部６を形成する第１工程と、該第１工程で形成された折り曲げ部６を該折り曲げ部６における芯線部４の配置方向を軸として屈曲させて前記屈曲部７を形成する第２工程とから構成される。
【００２１】
以上説明したように、本例のフラットケーブルの屈曲構造及びフラットケーブルの屈曲方法によれば、折り曲げ部６以外の部分に対して立ち上がった状態の折り曲げ部６において屈曲させることにより、回路が反転することなく、同一平面内でフラットケーブル１を簡単に屈曲させることができる。
【００２２】
また、前記折り曲げ部６は、該折り曲げ部６における芯線部４の配置方向を軸として屈曲して屈曲部７を形成すると、その曲げ応力によって断面略Ｕ字形状が保持されるので、形状を保持するためのテープなどの保持部材が不要であり、屈曲時にテープ巻きなどの加工工程が不要である。これにより、部品点数の削減や組み付け性の向上を図ることができる。また、フラットケーブル１に特別な成形加工を必要としない。
【００２３】
また、前記折り曲げ部６は、ケーブル幅方向の真ん中の位置のブリッジ部５ａで、電線を中心に折り曲げて、６本の芯線部４が全体的に断面略Ｕ字形状に形成し、屈曲部７を形成してもよい。このように構成しても、同様の効果を得ることができる。
【００２４】
また、前記折り曲げ部６は、ケーブル幅方向の１／３の位置のブリッジ部５で、ケーブル長手方向を軸としてフラットケーブル１を折り重ね、さらにケーブル幅方向の１／３の位置のブリッジ部５で、ケーブル長手方向を軸としてフラットケーブル１を反対方法に折り重ね、複数回折り曲げて形成してもよい。このように構成しても、同様の効果を得ることができる。
【００２５】
さらに、折り曲げ部６以外の部分に対して立ち上がった状態の前記折り曲げ部６が形成されたフラットケーブル１（図２）によれば、折り曲げ部６を、該折り曲げ部６における芯線部４の配置方向を軸として簡単に屈曲させることができる。これにより、屈曲部７の前後で回路が反転せず同一平面内でフラットケーブル１を容易に屈曲させることが可能となる。
【図面の簡単な説明】
【００２６】
【図１】折り曲げ部及び屈曲部を形成する前のフラットケーブルを示す斜視図。
【図２】図１に示すフラットケーブルに折り曲げ部を形成した状態を示す斜視図。
【図３】図２のＡ−Ａ線断面図。
【図４】図２に示す状態から屈曲させた状態を示す斜視図。
【符号の説明】
【００２７】
１    フラットケーブル
２    導体
３    絶縁体
４    芯線部
５    ブリッジ部
６    折り曲げ部
７    屈曲部
【図１】
2005302439.tif 000003
【図２】
2005302439.tif 000004
【図３】
2005302439.tif 000005
【図４】
2005302439.tif 000006